(57)【要約】【課題】自動清掃が可能なフィルター装置１を備えた空気調和機を提供することを目的とする。【解決手段】熱交換器１５を覆うＬ字形状で配設されたフィルター装置１は、下部にエアフィルター６を巻取る回転自在な巻取軸１１と巻取駆動モータ１２を、上部にエアフィルター６を引張り支持する回転自在な支持軸１３と戻しバネ１４を配設し、巻取軸１１に巻回される帯状のエアフィルター６と、エアフィルター６を巻取軸１１から支持軸１３へ導くフィルター枠２と、吸い込みダクト３とで構成されており、これを空気調和機に備えることでエアフィルターの清掃作業を自動にすることができる。【選択図】  図１
2004278845.tif 000002
【特許請求の範囲】
【請求項１】
少なくとも熱交換器とファンを有し、一方にエアフィルターを巻取る巻取軸と巻取駆動モータを、他方にエアフィルターの支持軸と戻しバネを配設し、前記巻取軸に巻回される帯状のエアフィルターと、前記エアフィルターを前記巻取軸から前記支持軸へ導く枠と、移動可能な吸入ノズルを設け、この吸入ノズルに吸い込みダクトを設け、さらに前記吸い込みダクトに連結する吸引排気装置とで構成されるフィルター装置を備えたことを特徴とする空気調和機。
【請求項２】
少なくとも熱交換器とファンを有し、一方にエアフィルターを巻取る巻取軸と巻取駆動モータを、他方にエアフィルターの支持軸と戻しバネを配設し、前記巻取軸に巻回される帯状のエアフィルターと、前記エアフィルターを前記巻取軸から前記支持軸へ導く枠と、前記巻取軸の近傍に設けた前記エアフィルターから塵埃を除去する除去部材と、着脱自在なダストボックスと、吸入ノズルと、この吸入ノズルに吸い込みダクトを設け、さらに前記吸い込みダクトに連結する吸引排気装置とで構成されるフィルター装置を備えたことを特徴とする空気調和機。
【発明の詳細な説明】
【０００１】
【発明の属する技術分野】
本発明は、自動清掃が可能なフィルター装置を備えた空気調和機に関するものである。
【０００２】
【従来の技術】
従来は、図８に示すように、ファンによって吸込んだ空気を熱交換器で冷却もしくは加熱した後、室内へ送風する空気調和機には、吸込む空気中に漂う塵埃が空気調和機の本体内部へ侵入することを防ぐため、空気調和機の吸込口裏面にエアフィルターが設けられており、このエアフィルターは、付着した塵埃を手で清掃できるように着脱自在に構成されているものがあった。
また、エアフィルターの清掃が容易な空気調和機として、は、モータで繰出し／巻取られる帯状のフィルターと、除塵部材と、ダストボックスとを有するフィルター装置を吸入パネルの吸気口の裏面に設置したものが知られている（例えば特許文献１参照）。
【０００３】
【特許文献１】
特開２００１−９９４７９号公報（第３〜４頁、第１図）
【０００４】
【発明が解決しようとする課題】
しかしながら、公知技術のエアフィルターは空気調和機の使用頻度に応じて空気調和機より取り外し、水洗いもしくは掃除機などで付着した塵埃を掃除するという定期的なメンテナンスを要する。また、定期的なメンテナンスが成されなかった場合、エアフィルターに塵埃が堆積し吸込み空気の通気抵抗が増大するため空気調和機の性能が低下、消費電力が増大するという課題があった。
【０００５】
また、上下双方に繰出し／巻取り用の駆動モータと除塵部材によって巻取られる帯状のフィルターに付着した塵埃がダストボックスに回収されるため、ボックス内の保有量を超えるまでには、これを除去するという定期的なメンテナンスを要するという課題を有していた。
【０００６】
そこで、本願発明は、定期的なメンテナンスを要せず、容易にエアフィルターの清掃を行うものである。
【０００７】
【課題を解決するための手段】
前記従来の課題を解決するため、本発明の空気調和機は、一方にエアフィルターを巻取る巻取軸と巻取駆動モータを、他方にエアフィルターの支持軸と戻しバネを配設し、前記巻取軸に巻回される帯状のエアフィルターと、前記エアフィルターを前記巻取軸から前記支持軸へ導く枠と、移動可能な吸入ノズルを設け、この吸入ノズルに吸い込みダクトを設け、さらに前記吸い込みダクトに連結する吸引排気装置とで構成されるフィルター装置を備えたことにより、エアフィルターの清掃作業を容易に行うことができる。
【０００８】
【発明の実施の形態】
以下に、本発明の実施の形態について、図面を参照しながら説明する。
【０００９】
（実施の形態１）
図１は本発明のフィルター装置の斜視図、図２は吸入ノズルの詳細図、図３は本発明の空気調和機の正面図、図４、図５、は図３の矢印部の左断面図、右断面図である。
【００１０】
空気調和機の本体１６の内部には熱交換器１５が配設されるとともに、空気の流路である風流路１７が形成されている。この風流路１７内にはファン１８が配設され、本体１６の前面から上面に渡り形成される複数の吸込口（図示せず）から吸込み、吹出口１９から吹出す空気の流れを発生させている。本体１６の前面から上面に渡り形成される複数の吸込口に相対し、熱交換器１５を覆うＬ字形状で配設されたフィルター装置１は、下部にエアフィルター６を巻取る回転自在な巻取軸１１と巻取駆動モータ１２を、上部にエアフィルター６を引張り支持する回転自在な支持軸１３と戻しバネ１４を配設し、巻取軸１１に巻回される帯状のエアフィルター６と、エアフィルター６を巻取軸１１から支持軸１３へ導くフィルター枠２と、吸い込みダクト３とで構成されている。
【００１１】
このように構成されたフィルター装置１の動作について説明する。フィルター装置１の初期状態（動作停止時）は、エアフィルター６が戻しバネ１４の弾性力でフィルター枠２に沿って引張り上げられて支持されているため、熱交換器１５の前面部から上部に掛けて覆った位置で停止している。従って、ファン１８により、本体１６の前面から上面に渡り形成された複数の吸気口より吸い込まれた空気はエアフィルター６で塵埃が取り除かれ、熱交換器１５を通り吹出口１９から吹出される。エアフィルター６が汚れた場合、本体もしくはリモコンのスイッチを操作することによりフィルター装置１は作動する。まず、スライド駆動モータ１０が作動してスライドワイヤー９介し、Ａ方向に稼動可能な吸入ノズル５が、エアフィルター６の長手方向の全域を移動して、エアフィルター６に付着している塵埃を吸入ノズル５の吸い込み口５ａから吸引する。次に、巻取駆動モータ１２が回転してエアフィルター６は、フィルター枠２に沿って、吸入ノズル５の吸込口５ａの長さ分だけ移動して巻取軸１１に巻き取られて静止する。そして、上記の２種類の動作を繰り返すことにより、エアフィルター６に付着している塵埃のすべてを吸入ノズル５の吸い込み口５ａから吸引させる。
【００１２】
フィルター装置１の作動中は、吸引排気装置７が運転しており、吸い込みダクト３に設置された吸入ノズル５に設けた吸入口５ａから空気を吸い込み、エアフィルター６の表面についた埃を吸い取り、排気ダクト８から室外へ吐き出されるものである。
【００１３】
また、エアフィルター６に付着している塵埃をすべて吸引した後、巻取駆動モータ１２  を逆回転させると、エアフィルター６はフィルター枠２に沿って戻しバネ１４の弾性力を付与した支持軸１３に引張り戻されて、初期の位置まで戻って止る。
【００１４】
また、フィルター装置１を空気調和機の運転停止後に自動的に作動させる制御手段を設けてもよい。
【００１５】
（実施の形態２）
図６は本発明のフィルター装置の斜視図、図７は空気調和機の室内機の右断面図である。
【００１６】
空気調和機の本体１６の内部には熱交換器１５が配設されるとともに、空気の流路である風流路１７が形成されている。この風流路１７内にはファン１８が配設され、本体１６の前面から上面に渡り形成される複数の吸込口（図示せず）から吸込み、吹出口１９から吹出す空気の流れを発生させている。本体１６の前面から上面に渡り形成される複数の吸込口に相対し、熱交換器１５を覆うＬ字形状で配設されたフィルター装置１は、下部にエアフィルター６を巻取る回転自在な巻取軸１１と巻取駆動モータ１２を、上部にエアフィルター６を引張り支持する回転自在な支持軸１３と戻しバネ１４を配設し、巻取軸１１に巻回される帯状のエアフィルター６と、エアフィルター６を巻取軸１１から支持軸１３へ導くフィルタ枠２と、巻取軸１１の近傍にエアフィルター６に接して配設した除去部材２０と、除去部材２０の下部に配設した着脱自在なダストボックス２１と、ダストボックス２１の内部に溜まったダストを収集するために、左右方向に可動する収集部材２２と吸入口５ａで構成されている。
【００１７】
このように構成されたフィルター装置１の動作について説明する。フィルター装置１の初期状態（動作停止時）は、エアフィルター６が戻しバネ１４の弾性力でフィルタ枠２に沿って引張り上げられて支持されているため、熱交換器１５の前面部から上部に掛けて覆った位置で停止している。従って、ファン１８により、本体１６の前面から上面に渡り形成された複数の吸気口より吸い込まれた空気はエアフィルター６で塵埃が取り除かれ、熱交換器１５を通り吹出口１９から吹出される。エアフィルター６が汚れた場合、本体もしくはリモコンのスイッチを操作することによりフィルター装置１は作動し、巻取駆動モータ１２が回転してエアフィルター６は、フィルタ枠２に沿って移動しながら巻取軸１１に巻き取られる。この時、エアフィルター６に付着した塵埃は、巻取軸１１の近傍にエアフィルター６に接して配設した除去部材２０により取り除かれ、除去部材２０の下部に配設したダストボックス２１に集塵される。さらに、集塵されたダストは収集部材２２によって吸入口５ａ付近まで運ばれる。吸引排気装置７が運転して吸入口５ａから、その付近に集積しているダストを吸い込み、排気ダクト８から室外へ吐き出されるものである。そして、エアフィルター６が巻取軸１１に全て巻き取られたとき巻取駆動モータ１２を逆回転させると、エアフィルター６はフィルタ枠２に沿って戻しバネ１４の弾性力を付与した支持軸１３に引張り戻されて、初期の位置まで戻って止る。
【００１８】
尚、各実施の形態において、吸引排気装置で屋外へ塵埃を排出するものとして使用したが、室内の換気をするために吸引排気装置を使用する事も可能である。
【００１９】
【発明の効果】
以上のように、本発明の空気調和機においては、簡素な構成のエアフィルター装置を設けたことにより、空気調和機本体の大幅なサイズアップとコストアップを図ることなく、エアフィルターの清掃作業を自動的に行うことができるとともに、空気調和機の性能低下防止にも役立ち、消費電力削減に寄与できる。
【図面の簡単な説明】
【図１】本発明の実施の形態１におけるフィルター装置の斜視図
【図２】本発明の実施の形態１の吸入ノズルを示す図
【図３】本発明の実施の形態１における空気調和機の正面図
【図４】図３のＩ−Ｉ断面における断面図
【図５】図３のＩＩ−ＩＩ断面における断面図
【図６】本発明の実施の形態２におけるフィルター装置の斜視図
【図７】本発明の実施の形態２における空気調和機の断面図
【図８】従来の空気調和機の断面図
【符号の説明】
１  フィルター装置
２  フィルター枠
５  吸込ノズル
６  エアフィルター
７  吸引排気装置
８  排気ダクト
９  スライドワイヤー
１０  スライド駆動モータ
１１  巻取軸
１２  巻取駆動モータ
１３  支持軸
１４  戻しバネ
１５  熱交換器
１６  本体
１７  風流路
１８  ファン
１９  吹出口
２０  除去部材
２１  ダストボックス
２２  収集部材
【図１】
2004278845.tif 000003
【図２】
2004278845.tif 000004
【図３】
2004278845.tif 000005
【図４】
2004278845.tif 000006
【図５】
2004278845.tif 000007
【図６】
2004278845.tif 000008
【図７】
2004278845.tif 000009
【図８】
2004278845.tif 000010